(57)【要約】【課題】  メッシュ型枠材を使用してコンクリート躯体を構築するとき、そのメッシュ型枠材をコンクリート躯体内部に配される支柱部材に容易、強固に固定できるようにする。【解決手段】  コンクリート躯体の表層位置で支持構枠する網目を有する鋼製メッシュ型枠材１にコンクリート材Ｃを打設し、メッシュ型枠材１と共に一体状のコンクリート躯体を構築する。このときコンクリート躯体内に配置する鉄筋材４、アングル材、トラス枠等の支柱部材に、メッシュ型枠材１に形成してあるリブ部３を介在させて固定手段５によって当該メッシュ型枠材１を固定する。その固定には、メッシュ型枠材１のリブ部３にその外側から打ち込み、内部配置の支柱部材である鉄筋材４に嵌合固定できるよう中央係止部６と、中央係止部６から二股状に延設した嵌合用切欠部７を有する保持片部８とを備えたクリップ留め固定具を使用する。【選択図】      図１
2005163320.tif 000002
【特許請求の範囲】
【請求項１】
表層位置で支持構枠された網目を有する鋼製メッシュ型枠材にコンクリート材を打設し、メッシュ型枠材と共に一体状のコンクリート躯体を構築するとき、コンクリート躯体内に配置される支柱部材に、メッシュ型枠材に形成されているリブ部を介在させて固定手段によって当該メッシュ型枠材を固定することを特徴とした鋼製メッシュ型枠材の固定方法。
【請求項２】
固定手段は、クリップ留め、ネジ止め、溶接のいずれかである請求項１に記載の鋼製メッシュ型枠材の固定方法。
【請求項３】
クリップ留めによる固定手段は、コンクリート材が打設されるコンクリート躯体の表層に配設されるメッシュ型枠材のリブ部に係止された状態でメッシュ型枠材外側から打ち込まれ、支柱部材に嵌合固定させるものとした請求項１または２に記載の鋼製メッシュ型枠材の固定方法。
【請求項４】
ネジ止めによる固定手段は、コンクリート材が打設されるコンクリート躯体の表層に配設されるメッシュ型枠材のリブ部にメッシュ型枠材外側からねじ込まれ、支柱部材にねじ込み固定させるものとした請求項１または２に記載の鋼製メッシュ型枠材の固定方法。
【請求項５】
溶接による固定手段は、コンクリート材が打設されるコンクリート躯体の表層に配設されるメッシュ型枠材のリブ部を支柱部材に溶接固定させるものとした請求項１または２に記載の鋼製メッシュ型枠材の固定方法。
【請求項６】
コンクリート材が打設されるよう表層位置で支持構枠された網目を有する鋼製メッシュ型枠材に形成されているリブ部に係止される中央係止部と、メッシュ型枠材を一体状にして構成されるコンクリート躯体内に配置される支柱部材にリブ部を跨って二点で嵌合固定させるよう中央係止部から二股折曲状に延設された嵌合用切欠部を有する保持片部とを備えて成ることを特徴とする鋼製メッシュ型枠材固定用のクリップ留め固定具。
【請求項７】
コンクリート材が打設されるよう表層位置で支持構枠された網目を有する鋼製メッシュ型枠材に形成されているリブ部に係止される一端係止部と、メッシュ型枠材を一体状にして構成されるコンクリート躯体内に配置される支柱部材に嵌合固定させるよう一端係止部から一方向に延設された嵌合用切欠部を有する保持片部とを備えて成ることを特徴とする鋼製メッシュ型枠材固定用のクリップ留め固定具。
【発明の詳細な説明】
【技術分野】
【０００１】
本発明は、例えば土圧、山止めおよび防水を考慮する必要のある地下室の構築、あるいは住宅用建築構造物の基礎の構築等、その他の鉄筋コンクリート躯体構造全般の構築に際し使用される鋼製メッシュ型枠材を容易でしかも強固に支持固定でき、構築現場における作業を迅速に遂行できるようにした鋼製メッシュ型枠材の固定方法およびその固定に使用されるクリップ留め固定具に関するものである。
【背景技術】
【０００２】
近年、地球環境の破壊防止の観点から木材製の型枠であるコンクリートパネルの使用が制限されつつあり、構築後にその取り外し、廃棄等が不要となるよう、コンクリート躯体と一体化される網目を有する鋼製メッシュ型枠材を使用したコンクリート躯体構築工法が着目されている。かかる工法を利用することで本出願人は地下室を容易に構築できることを提案しているのであり、例えば特許文献１にあるように、地下室の構築に際し、施工される地下室周囲の地盤に鋼矢板を打ち込み、鋼矢板で囲まれた地盤を掘削して連設配置される鋼矢板の要所をアースアンカーにて地盤に固定して内側側壁を形成し、鉄筋枠を内部に組み込んだ所定厚みで枠組みされたトラス枠の全面に鋼製メッシュ型枠材が張設されて成る躯体として構成することで地下室施設現場に持ち込み、コンクリートを打設することで地下室を形成する。このトラス枠にメッシュ型枠材を係止する場合には、棒状フックを全面外側からメッシュ状型枠材を挿通して内側に配置されるトラス枠の躯体フレームに一端の係止部を係止し、同時にメッシュ状網鋼板外側の要所に突設されたリブに他端の係止部を係止保持するものとするのである。
【０００３】
また、更に特許文献２にあるように、住宅用建築構造物の基礎を構築するに際し、工場サイドにて予めユニットとして構成されたユニット基礎枠体を施工現場に搬入し、相互に連結固定すると共に生コンクリート材を注入打設し、その養成凝固後によって基礎構造を構築する。このとき隣接するユニット基礎枠体同士は任意の連結機構によって連結するのであるが、この場合、ユニット基礎枠体を構成するベース部上に立設された内外の支柱材に固定させて相対峙状に配装したメッシュ型枠材内に予め鉄筋材を配筋固定し、この鉄筋材は隣接するユニット基礎枠体相互間で例えば掛け渡し状にした別の鉄筋材によって溶接あるいは縛結等によって連結一体化させる。また、内側の支柱材に固着した固定バーに、内側の支柱材相互の左右方向に沿うようにして断面略Ｌ字状を呈するアングル鋼材にて成形された中間部連繋材を架装し、その内側にメッシュ型枠材を張設したものとするのである。
【特許文献１】特開２００２−８８７８１号公報（第１７頁、図１６）
【特許文献２】特許２００２−２６６３５４号公報
【発明の開示】
【発明が解決しようとする課題】
【０００４】
しかしながら従来においては、特許文献１にあるようにトラス枠に棒状フックを介してメッシュ型枠材を係止固定する場合には、棒状フックの保持力が弱いため取付強度が低いものとなり、生コンクリート材の打設時に、その打設圧力、衝撃等でもって棒状フックの位置がずれたり、離脱したりする虞れがある。また特許文献２にあるように鉄筋材は隣接するユニット基礎枠体相互間で例えば掛け渡し状にした別の鉄筋材によって縛結によって連結一体化し、また内側の支柱材相互の左右方向に沿うようにしてアングル鋼材にて成形された中間部連繋材を架装する場合において、メッシュ型枠材の支柱材に対する固定に際し、例えば溶接、ネジ止め、フック止め等その他の連結固定手段によるものとしている。そして例えば鉄筋結束線コンクリート側圧の大きい場合は、連結固定手段として例えばセパレータ金具と単管とを用いて強固に固定する必要があるため固定および単管等の取り外しにかなりの手間が掛かるものであった。更に地下室を構築するトラス枠を連結固定するに際し、このような連結固定手段を行うための作業スペースを掘削地盤とトラス枠との間に設けなければならない等、施工上において面倒で且つ余分な掘削作業が必要となる。さらに生コンクリート材が打設される既設のメッシュ型枠材内側における鉄筋材の配筋固定として溶接等を行うことは困難であった。
【０００５】
そこで本発明は叙上のような従来存した諸事情に鑑み創出されたもので、鋼製メッシュ型枠材を利用したコンクリート躯体の構築施工に際し、特に施工現場において構築されるコンクリート躯体の表層位置にメッシュ型枠材を配置するように支持固定するとき、コンクリート躯体内に配置される鉄筋材、支柱材、アングル材等の支柱部材に対してメッシュ型枠材を容易に且つ強固に固定でき、その作業を迅速に遂行できるようにした鋼製メッシュ型枠材の固定方法およびその固定に使用されるクリップ留め固定具を提供することを目的とする。
【課題を解決するための手段】
【０００６】
上述した課題を解決するため、本発明に係る鋼製メッシュ型枠材１の固定方法にあっては、表層位置で支持構枠された網目を有する鋼製メッシュ型枠材１にコンクリート材Ｃを打設し、メッシュ型枠材１と共に一体状のコンクリート躯体を構築するとき、コンクリート躯体内に配置される支柱部材（４，１１，１Ｄ）に、メッシュ型枠材１に形成されているリブ部３を介在させて固定手段５，１２によって当該メッシュ型枠材１を固定するものであり、その固定手段５，１２は、クリップ留め、ネジ止め、溶接のいずれかとすることができる。
クリップ留めによる固定手段（５）は、コンクリート材Ｃが打設されるコンクリート躯体の表層に配設されるメッシュ型枠材１のリブ部３に係止された状態でメッシュ型枠材１外側から打ち込まれ、支柱部材（４）に嵌合固定させるものとして構成することができる。
ネジ止めによる固定手段（１２）は、コンクリート材Ｃが打設されるコンクリート躯体の表層に配設されるメッシュ型枠材１のリブ部３にメッシュ型枠材１外側からねじ込まれ、支柱部材（１１，１Ｄ）にねじ込み固定させるものとして構成することができる。
溶接による固定手段は、コンクリート材Ｃが打設されるコンクリート躯体の表層に配設されるメッシュ型枠材１のリブ部３を支柱部材（４，１１，１Ｄ）に溶接固定させるものとして構成することができる。
【０００７】
一方、本発明に係るクリップ留め固定具５にあっては、コンクリート材Ｃが打設されるよう表層位置で支持構枠された網目を有する鋼製メッシュ型枠材１に形成されているリブ部３に係止される中央係止部６と、鋼製メッシュ型枠材１を一体状にして構成されるコンクリート躯体内に配置される支柱部材（４）をリブ部３を跨って二点で嵌合固定させるよう中央係止部６から二股折曲状に延設された嵌合用切欠部７を有する保持片部８とを備えて成るものである。
また、コンクリート材Ｃが打設されるよう表層位置で支持構枠された網目を有する鋼製メッシュ型枠材１に形成されているリブ部３に係止される一端係止部９と、鋼製メッシュ型枠材１を一体状にして構成されるコンクリート躯体内に配置される支柱部材（４）を嵌合固定させるよう一端係止部９から一方向に延設された嵌合用切欠部７を有する保持片部８とを備えて成るものである。
【０００８】
以上のように構成された本発明に係る鋼製メッシュ型枠材１の固定方法にあって、少なくともコンクリート躯体の表層位置に配設されるメッシュ型枠材１のリブ部３と、コンクリート躯体内部に配置された鉄筋材４、トラス枠１１、アングル材１Ｄ等の支柱部材とがクリップ留め、ネジ止め、溶接等によって一体化され、コンクリート躯体内部の補強部材とも成る支柱部材（４，１１，１Ｄ）に対するメッシュ型枠材１の保持力を強化させ、メッシュ型枠材１をしっかりと保持固定させる。
【０００９】
一方、その方法に使用されるクリップ留め固定具５にあって、中央係止部６または一端係止部９をメッシュ型枠材１のリブ部３に係止させた状態で当該中央係止部６または一端係止部９をメッシュ型枠材１外側からハンマー等で強制的に打ち込むことにより、両端部または他端部における保持片部８の嵌合用切欠部７を、コンクリート躯体内に配置固定される例えばコンクリート躯体補強用の支柱部材となる鉄筋材４等に嵌合固定させる。
【発明の効果】
【００１０】
上記に説明したように本発明によれば、鋼製メッシュ型枠材１の固着施工に際し、コンクリート躯体を構築すべくその表層位置に配置されるメッシュ型枠材１自体を、コンクリート躯体内にその補強として配置される鉄筋材４、トラス枠１１、アングル材１Ｄ等に対し、これらがメッシュ型枠材１を固定保持する支柱部材（４，１１，１Ｄ）となるときにこれらに対する固着作業を簡単、容易に遂行でき、しかも打設されるコンクリート材Ｃによってもこれらの支柱部材（４，１１，１Ｄ）からメッシュ型枠材１が簡単に離反解体されることもなくしっかりと固着保持され、施工現場における作業負担を大きく軽減できるのである。
【００１１】
またこのように、メッシュ型枠材１によってこのメッシュ型枠１自体を一体状に埋め込み構成するコンクリート躯体とすることで、コンクリート躯体の構築後での例えば従来使用されていた単管、コンクリートパネル等の解体、廃棄等が不要となるから、環境対策、浸透・透水型枠材としての緻密なコンクリートの打設、打設状況が目視できる品質管理の向上、打ち継ぎ無し一体打設によるコンクリート品質の向上、工期の短縮、型枠仮設材の不要による工期の短縮、廃材無しのクリーン施工等、コンクリート工事の革新的技術の向上を目指すことができる。さらに、応用可能な範囲として、例えば鉄筋コンクリート構造全般の型枠工事、住宅地下室の鋼製メッシュ型枠材工法、および鋼製メッシュ基礎工法等とその利用範囲は広いものである。
【００１２】
すなわちこれは本発明に係る鋼製メッシュ型枠材１の固定方法が、表層位置で支持構枠された網目を有する鋼製メッシュ型枠材１にコンクリート材Ｃを打設し、メッシュ型枠材１と共に一体状のコンクリート躯体を構築するとき、コンクリート躯体内に配置される支柱部材（４，１１，１Ｄ）に、メッシュ型枠材１に形成されているリブ部３を介在させてクリップ留め、ネジ止め、溶接等の固定手段５，１２によって当該メッシュ型枠材１を固定するものとしたからである。
【００１３】
また、クリップ留めタイプの固定手段（５）は、コンクリート材Ｃが打設されるコンクリート躯体の表層に配設されるメッシュ型枠材１のリブ部３に係止された状態でメッシュ型枠材１外側から打ち込まれ、支柱部材（４）に嵌合固定させるものとしてあることで、従来の如くアーク溶接の他に、例えばスポット溶接、アルゴン溶接、プラズマ溶接等の溶接電力設備とコストのかかる低温溶接や連結機構等を行わずに容易に且つ強固に固定することができる。
【００１４】
ネジ止めタイプの固定手段（１２）は、コンクリート材Ｃが打設されるコンクリート躯体の表層に配設されるメッシュ型枠材１のリブ部３にメッシュ型枠材１外側からねじ込まれ、支柱部材（１１，１Ｄ）にねじ込み固定させるものとしてあるので、例えばトラス枠１１構造の板面を備えた支柱部材に対してメッシュ型枠材１をタッピングネジ１２タイプのネジ止めによって容易に固定することができる。
【００１５】
溶接による固定手段は、コンクリート材Ｃが打設されるコンクリート躯体の表層に配設されるメッシュ型枠材１のリブ部３を支柱部材（４，１１，１Ｄ）に溶接固定させるので、支柱部材（４，１１，１Ｄ）となる各種の、コンクリート躯体内に配置される鉄筋材４、トラス枠１１、アングル材１Ｄその他にメッシュ型枠材１を例えばスポット溶接によって容易に固定することができる。
【００１６】
一方、本発明に係るクリップ留め固定具５にあっては、コンクリート材Ｃが打設されるよう表層位置で支持構枠された網目を有する鋼製メッシュ型枠材１に形成されているリブ部３に係止される中央係止部６と、鋼製メッシュ型枠材１を一体状にして構成されるコンクリート躯体内に配置される支柱部材（４）をリブ部３を跨って二点で嵌合固定させるよう中央係止部６から二股折曲状に延設された嵌合用切欠部７を有する保持片部８とを備えて成るので、取り付けに際し、リブ部３を跨った状態となるよう中央係止部６をハンマーや打設機等で強制的に打ち込み、保持片部８の嵌合用切欠部７に鉄筋材４等の支柱部材に嵌合させることで、支柱部材となる鉄筋材４にメッシュ型枠材１を容易に固着することができ、しかも取り付け強度も非常に高いものとすることができる。更には、取り付け自体が飛躍的に簡単化され、従来の如く例えばセパレータ金具と単管とを用いた補助的な連結固定手段の取り付け取り外し作業も必要としないため、工期およびコストを飛躍的に軽減することができる。
【００１７】
また、他のクリップ留め固定具５にあっては、コンクリート材Ｃが打設されるよう表層位置で支持構枠された網目を有する鋼製メッシュ型枠材１に形成されているリブ部３に係止される一端係止部９と、鋼製メッシュ型枠材１を一体状にして構成されるコンクリート躯体内に配置される支柱部材を嵌合固定させるよう一端係止部９から一方向に延設された嵌合用切欠部７を有する保持片部８とを備えて成るので、取り付けに際し、リブ部３に係止される状態となるよう一端係止部９をハンマーや打設機等で強制的に打ち込み、保持片部８の嵌合用切欠部７を鉄筋材４等の支柱部材に嵌合させることで、メッシュ型枠材１を支柱部材に容易且つ強固に固着させるものとできる。
【００１８】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１９】
以下図面を参照して本発明を実施するための最良の一形態を説明すると、図において示される符号１は、例えば住宅用建築構造物の基礎、壁体等のコンクリート躯体を構築するに際し使用される鋼製のメッシュ型枠材であり、所定の肉厚の薄鋼板に切れ目を入れて格子状となるように形成したメッシュ部分２と、メッシュ型枠材１自体を補強すべく例えば単独のあるいは複数の山形溝部によって山形状に折曲形成したリブ部３とを備えて成る。このメッシュ型枠材１は施工現場に搬入されて、コンクリート躯体の表層位置に支持構枠され、内部に打設されるコンクリート材Ｃによってこれと一体状に構築されることで、その養成凝固後にコンクリート躯体となるものとして、所謂鋼製メッシュ基礎型枠工法に使用されるものである。尚、メッシュ部分２は、例えば薄鋼板を機械加工により千鳥状に切れ目を入れ、同時にこれを押し拡げて菱形あるいは亀甲形の網目状に加工して成るエキスパンドメタル（商品名）等を使用することもできる。あるいは約３ｍｍ程度の厚さの補強用の鋼板（図示せず）を配設して、リブ部３にその鋼板にタッピングビス等の締結部材でもって固定しても良いものである。
【００２０】
すなわち鋼製のメッシュ型枠材１は、図１、図２に示すように、コンクリート材Ｃが打設されることで構築されるコンクリート躯体の表層位置に合わせて配置されるもので、表層となる部分の前面にメッシュ状の網目となっているメッシュ部分２が張設されているように形成され、しかもメッシュ部分２の例えば複数段状に間隔をおいて水平で且つ互いに平行となって隣接すべく、コンクリート躯体の外側に向けて略Ｕ字型突起状のリブ部３を突出形成してある。なお、このメッシュ型枠材１は、コンクリート躯体の構築現場において支持構枠させるようにコンクリート躯体内に予め配筋される鉄筋材４に各別に固定保持されたり、構築現場に搬入されてそのまま型枠として使用されるように例えば組立工場において構枠されるときの内部の鉄筋材４、トラス枠１１を形成する支柱材１Ｃ、アングル材１Ｄ等に固定保持されたりするのであり、これらの鉄筋材４、トラス枠１１、アングル材１Ｄ等が本発明においては支柱部材として説明される。そしてメッシュ型枠材１の組立構築に際し、支柱部材（４，１１，１Ｄ）に対して、リブ部３によって固定保持された状態となるようにコンクリート躯体内に配置されることになるよう、例えば縦方向に配設されている鉄筋材４である支柱部材に嵌合固定させるためのクリップ留めタイプの固定手段として例えば二股折曲状のクリップ留め固定具５が用意されている。
【００２１】
こうしてコンクリート材Ｃが打設されるコンクリート躯体内部に配筋された縦方向の鉄筋材４に対し、メッシュ型枠材１のリブ部３をクリップ留め固定具５によって固定するものとしてある。尚、コンクリート躯体内部に配筋される横方向の鉄筋材４に対し、メッシュ型枠材１の縦方向に形成したリブ部３をクリップ留め固定具５によって固定するものとしても良い。
【００２２】
具体的なクリップ留め固定具５の構成としては、図３に示すように、帯状鋼板の略中央部分を中央係止部６として約６０°程度の鋭角状となるよう略Ｖ字形に折曲形成して両側に保持片部８を形成し、保持片部８両端における縁端部側には、コンクリート型枠１Ａ内部に配筋された鉄筋材４を嵌合固定させるために、鉄筋材４の外径よりも若干大きな口径を有する円弧状の嵌合用切欠部７を形成してある。また、嵌合用切欠部７の開口側横幅員は、鉄筋材４の外径よりも若干小さくし、開口縁端部から次第に拡開する傾斜状のガイド用縁部１０を形成することで、嵌合用切欠部７の鉄筋材４への嵌合を容易にし、しかも嵌合後の鉄筋材４からの離脱を防止できるようにしてある。
【００２３】
次に、本形態の構成による使用の一例を説明するに、例えば一般住宅における基礎、地下室の壁体等の構築現場において、基礎、壁体等となるコンクリート躯体を構築するためにその型枠構造として組み立てられるもので、コンクリート躯体内部における補強部材として躯体構築現場において立設された例えば縦方向の鉄筋材４にメッシュ型枠材１を固着保持させるのである。このとき、鉄筋材４自体を支柱部材としてメッシュ型枠材１をコンクリート躯体の表層に位置させるようにして配置するのであり、コンクリート躯体の外側に向けて突出形成したメッシュ型枠材１自体のリブ部３に、クリップ留め固定具５の中央係止部６が係止する状態となるようコンクリート躯体の外側から当該中央係止部６を例えばハンマー等で打ち込み、コンクリート材Ｃが打設される躯体内部に配筋されている縦方向の鉄筋材４に保持片部８の嵌合用切欠部７を強制嵌合させる。尚、このような鉄筋材４に対する固定保持は、構築現場に限らず、予め工場サイドにてユニット基礎枠体のものとして構成しておくときにも同様な作業手順で構成すればよいのであり、このユニット基礎枠体とした場合には、施工現場に搬入して相互に連結固定すると共に、コンクリート材Ｃを型枠構造内に注入打設し、その養生凝固によって所定のコンクリート躯体が構築されるのである。
【００２４】
図４には本発明を実施するための最良の形態におけるクリップ留め固定具５の他例が示されており、帯状鋼板を略コ字形に折曲形成して中央平面部分を中央係止部６とし、中央係止部６の両側には、コンクリート型枠１Ａ内部に配筋された鉄筋材４に嵌合固定させるための嵌合用切欠部７を備えた保持片部８を形成してある。
【００２５】
図５には本発明を実施するための最良の形態におけるクリップ留め固定具５の更に他例が示されており、帯状鋼板を略への字形に折曲形成して折曲箇所に略円弧状の一端係止部９を形成し、一端係止部９の一端側には、コンクリート型枠１Ａ内部に配筋された鉄筋材４に嵌合固定させるための嵌合用切欠部７を備えた保持片部８を形成し、一端係止部９の他端側を保持片部８の長さよりも小さくしてある。
【００２６】
図６乃至図８には本発明を実施するための最良の形態におけるネジ止めによる固定手段の一例が示されており、図においては組立工場にて予め構成し、施行現場で連結配置して設置構築するに好適となるようにしたものである。すなわち、コンクリート材Ｃが打設される型枠構造物として、コンクリート躯体の内部補強体となるトラス枠１１の支柱材１Ｃ、アングル材１Ｄ等に対し、メッシュ型枠材１のリブ部３に貫挿されるタッピングネジ１２によって型枠構造物の側壁となる少なくとも内側部分に当該メッシュ型枠材１を固定するものとしてある。
【００２７】
このタッピングネジ１２による固定手段は、コンクリート材Ｃが打設される型枠構造物の少なくとも前面に、リブ部３の突出部分を前方に向けた状態にして配設されたメッシュ型枠材１のリブ部３における平坦面部分にメッシュ型枠材１の前面がわからねじ込まれ、コンクリート躯体における内部補強体として配装形成されたトラス枠１１を支持する支柱材１Ｃ、トラス枠１１の側面に配したアングル材１Ｄ等にねじ込み固定させるものとして構成する。尚、このネジ止め方式は、組立工場におけるユニット形の型枠構造物として構成する場合に限らず、施工現場においての組み立てに際しても同様に実施できる。
【００２８】
このような耐震性を有するトラス枠１１の構成としては、具体的には図６に示すように、アングル材１Ｄ、溝型材等の型鋼材製の躯体フレームをコンクリート躯体となる前後面に配装し、前後の躯体フレーム相互間に波形状に連続折曲された鉄筋材製等による連繋部材を架け渡し状に固着連結することで結合して構成される。また、このトラス枠１１自体は、側面から見て全体が略Ｌ字状を呈するように、所定厚みを有する垂直な側枠１１Ａと底枠１１Ｂとから構成される。施工に際し、このトラス枠１１を所定間隔毎に並設配置することで配列すると共にそれぞれのトラス枠１１同士を連結フレームによって連結する。そしてこのトラス枠１１内部に鉄筋材４を組み込むと共に、少なくとも前面にメッシュ型枠材１を張設するものである。
【００２９】
また、メッシュ型枠材１のトラス枠１１への取り付けに際し、図８に示すように、メッシュ型枠材１の複数段毎に介設形成されている例えば断面略Ｗ型を呈する長尺枠状のリブ部３を備えたものの場合には、そのリブ部３の中央凹み部分３Ａに、トラス枠１１を支持するよう、このトラス枠１１に連結してあるアングル材１Ｄにタッピングネジ１２をねじ込むものとしてある。尚、タッピングネジ１２に代え、メッシュ型枠１及びアングル材１Ｄである支柱部材夫々に貫通するボルトをナット止めすることで両者を締結することも可能であり、ただ、タッピングネジ１２を使用することでワンサイド施工を可能にする故に、作業効率を向上させることができ、必要があればねじ込ませたタッピングネジ１２、ボルト、ナット等を更に溶接しても良い。図中符号１３はアングル材１Ｄに開穿した透孔であり、打設されるコンクリート材Ｃが表層に配置のメッシュ型枠１のメッシュ部分２に内部から十分に浸透するようにさせるものである。
【００３０】
更にはこのようなネジ止めによる固定手段に代えて、溶接による固定手段を採用することもできる。すなわち、コンクリート材Ｃが打設されるコンクリート躯体の表層に配設されるメッシュ型枠材１のリブ部３を支柱部材に溶接固定させるので、支柱部材は、コンクリート躯体内に配置されることになる鉄筋材４、トラス枠１１を支持する支柱材１Ｃ、アングル材１Ｄ等であり、これらに当接状に配置したメッシュ型枠１におけるリブ部３を溶接固定させるものとして構成する。このときの溶接に際し、公知のアーク溶接または半自動溶接機等による溶接施工方式を使用しても良いが、このような場合には溶接部分がかなりの高温になりすぎてしまい、修正限度を超えた歪みが発生してしまうので、これを解消するためには、溶接を例えばスポット溶接、アルゴン溶接、プラズマ溶接等の低温溶接による施工方式にを採用するのが好ましい。
【００３１】
尚、住宅用建築構造物のコンクリート壁、基礎その他を構築する他に、例えば鋼製メッシュ型枠工法による地下室の構築に際し、施工される地下室周囲の地盤に鋼矢板を打ち込み、鋼矢板で囲まれた地盤を掘削して連設配置される鋼矢板の要所をアースアンカーにて地盤に固定して内側側壁を形成しておき、一方、所定厚みで枠組みされたトラス枠１１の前面にメッシュ型枠材１が張設されて成る型枠構造物を構成して地下室施設現場に持ち込み、コンクリート材Ｃを打設することで地下室を形成する場合において、トラス枠１１にメッシュ型枠材１を係止するときの固定手段として使用しても良い。また、上記した住宅地下室の鋼製メッシュ型枠工法、および鋼製メッシュ基礎工法以外にも、各種の鉄筋コンクリート構造全般の型枠工事に応用することもできる。
【図面の簡単な説明】
【００３２】
【図１】本発明を実施するための最良の形態における一例を示すクリップ留め固定具の取り付け状態の要部を示す斜視図である。
【図２】同じくクリップ留め固定具を取り付けた状態のメッシュ型枠材の概略斜視図である。
【図３】同じくクリップ留め固定具の取り付け状態の要部を示すもので、（ａ）は側面図、（ｂ）は展開平面図である。
【図４】本発明を実施するための最良の形態の他例におけるクリップ留め固定具の取り付け状態の要部を示すもので、（ａ）は側面図、（ｂ）は展開平面図である。
【図５】本発明を実施するための最良の形態の更に他例におけるクリップ留め固定具の取り付け状態の要部を示すもので、（ａ）は側面図、（ｂ）は展開平面図である。
【図６】メッシュ型枠材使用のトラス枠構造の型枠構造物の概略斜視図である。
【図７】同じく一部切欠側面図である。
【図８】同じくメッシュ型枠材の取り付け状態の要部を示すもので、（ａ）は正面図、（ｂ）は側面図、（ｃ）は平面図である。
【符号の説明】
【００３３】
１…鋼製メッシュ型枠材
１Ｂ…ベース部                          １Ｃ…支柱材
１Ｄ…アングル材
２…メッシュ部分                        ３…リブ部
３Ａ…中央凹み部分                      ４…鉄筋材
５…クリップ留め固定具                  ６…中央係止部
７…嵌合用切欠部                        ８…保持片部
９…一端係止部                          １０…ガイド用縁部
１１…トラス枠                          １１Ａ…側枠
１１Ｂ…底枠                            １２…タッピングネジ
１３…透孔
【図１】
2005163320.tif 000003
【図２】
2005163320.tif 000004
【図３】
2005163320.tif 000005
【図４】
2005163320.tif 000006
【図５】
2005163320.tif 000007
【図６】
2005163320.tif 000008
【図７】
2005163320.tif 000009
【図８】
2005163320.tif 000010